(57)【要約】匂い測定装置１は、匂いを検出可能な匂いセンサ１０と、レンズ部２１を有する撮像装置２０と、を備えた匂い測定装置１であって、前記撮像装置２０による撮像方向と、導入口３３を介して前記匂いセンサ１０のセンサ面１９に空気を導く際の前記空気の導入方向と、が実質的に同一方向である。匂い測定装置１は、匂いを測定する際に、空気中に含まれる匂い物質をセンサで検出すると共に、匂いの測定対象等の属性情報をも測定可能である。匂いデータ管理装置６０は、匂い測定装置１によって測定された匂いデータを記憶し、管理する。【選択図】図１
2018061092.tif 000002
【特許請求の範囲】
【請求項１】
匂いを検出可能な匂いセンサと、
レンズ部を有する撮像装置と、
を備えた匂い測定装置であって、
前記撮像装置による撮像方向と、導入口を介して前記匂いセンサのセンサ面に空気を導く際の前記空気の導入方向と、が実質的に同一方向である、匂い測定装置。
【請求項２】
前記匂いセンサは、
空気中の匂い物質を吸着する物質吸着膜と、
前記匂い物質の前記物質吸着膜への吸着状態を検出する検出器と、
を有するセンサ素子を複数備え、
前記複数のセンサ素子のそれぞれにおいて、前記匂い物質の前記物質吸着膜への吸着特性が異なる、請求項１に記載の匂い測定装置。
【請求項３】
前記匂いセンサと前記撮像装置とを内部に備える筐体を更に有し、
前記撮像装置の前記レンズ部と、前記導入口と、が前記筐体における同一側の面である所定面に配置されている、請求項１又は請求項２に記載の匂い測定装置。
【請求項４】
前記筐体における前記所定面とは異なる他の面に、換気口が形成された、請求項３に記載の匂い測定装置。
【請求項５】
前記導入口を開閉可能な開閉装置が配設された、請求項１から請求項４のうちいずれか１項に記載の匂い測定装置。
【請求項６】
前記導入口から前記センサ面への空気の導入を制御可能なファンを備える、請求項１から請求項５のうちいずれか１項に記載の匂い測定装置。
【請求項７】
ＧＰＳ装置、温湿度計、気圧計、及び照度計のうち少なくともいずれか１つの属性データ取得装置を更に備える、請求項１から請求項６のうちいずれか１項に記載の匂い測定装置。
【請求項８】
前記匂いセンサによって測定された匂いデータ、及び前記撮像装置によって生成された画像データを送信可能な通信装置を更に備える、請求項１から請求項７のうちいずれか１項に記載の匂い測定装置。
【請求項９】
請求項８に記載の匂い測定装置から送信された前記匂いデータ及び前記画像データを受信可能な受信手段と、
受信した前記匂いデータ及び前記画像データを相互に関連付けて記憶可能な記憶手段と、
を備える、匂いデータ管理装置。
【請求項１０】
前記記憶手段に記憶された複数の前記匂いデータから、特定の匂いデータに近似する匂いデータを抽出可能な抽出手段と、
前記抽出手段によって抽出された匂いデータに関連付けられた画像データを検索結果として返却する返却手段と、を更に備える、請求項９に記載の匂いデータ管理装置。
【発明の詳細な説明】
【技術分野】
【０００１】
本発明は、匂い測定装置、及び匂いデータ管理装置に関する。具体的には、空気の匂いを測定する匂い測定装置、及びその測定結果としての匂いデータを管理する匂いデータ管理装置に関する。
【背景技術】
【０００２】
空気の匂いを測定するために、空気中の匂い物質を特異的に吸着する水晶振動子を備えるセンサが知られている（特許文献１参照）。
【先行技術文献】
【特許文献】
【０００３】
【特許文献１】特開平５−１８７９８６号公報
【発明の概要】
【発明が解決しようとする課題】
【０００４】
しかしながら、空気の匂いをセンサで測定し、その測定結果を保存しただけでは、その匂いが、何の匂いを測定したものであったのか（匂いの測定対象）、どこで測定されたものであったのか（測定場所）、どのような環境下で測定されたものであるのか（測定環境）等の匂いの属性情報を把握することができない。また、これら属性情報を収集するためには、測定者自らが、匂いを測定するたびに、匂いの測定対象、測定場所、測定環境等を計測、記録する必要がある。【０００５】
本発明は、上記の事情に鑑みてなされたもので、匂いを測定する際に、空気中に含まれる匂い物質をセンサで検出すると共に、匂いの測定対象等の属性情報をも測定可能な匂い測定装置、及びその測定結果を管理する匂い管理装置を提供することを例示的課題とする。
【課題を解決するための手段】
【０００６】
上記の課題を解決するために、本発明は以下の構成を有する。
（１）匂いを検出可能な匂いセンサと、レンズ部を有する撮像装置と、を備えた匂い測定装置であって、前記撮像装置による撮像方向と、導入口を介して前記匂いセンサのセンサ面に空気を導く際の前記空気の導入方向と、が実質的に同一方向である、匂い測定装置。【０００７】
撮像装置による撮像方向と、空気の導入方向と、が実質的に同一方向であるため、匂い測定装置を移動させることなく、匂いの測定対象から空気中に分散した匂いを匂いセンサで検出可能であると共に、匂いの測定対象を撮像装置によって撮像することができる。また、匂いの測定と撮像とを、同時又は一連の動作で行うことができる。【０００８】
本発明において、「匂い」とは、ヒト、又はヒトを含む生物が、嗅覚情報として取得することができるものであり、分子単体、若しくは異なる分子からなる分子群がそれぞれの濃度を持って集合したものを含む概念とする。【０００９】
本発明において、上述の匂いを構成する、分子単体、若しくは異なる分子からなる分子群がそれぞれの濃度を持って集合したものを「匂い物質」と称する。ただし、匂い物質は、広義において、後述する物質吸着膜に吸着可能な物質を広く意味する場合があるものとする。すなわち、「匂い」には原因となる匂い物質が複数含まれることが多く、また、匂い物質として認知されていない物質又は未知の匂い物質も存在し得るため、一般的に匂いの原因物質とされていない物質も含まれ得る。【００１０】
（２）前記匂いセンサは、空気中の匂い物質を吸着する物質吸着膜と、前記匂い物質の前記物質吸着膜への吸着状態を検出する検出器と、を有するセンサ素子を複数備え、前記複数のセンサ素子のそれぞれにおいて、前記匂い物質の前記物質吸着膜への吸着特性が異なることが好ましい。【００１１】
匂いセンサが、物質吸着膜と検出器とを有するセンサ素子を複数備え、各センサ素子において、物質吸着膜への匂い物質の吸着特性が異なるため、匂いセンサによる匂いの測定結果を、物質吸着膜ごとに異なる匂い物質の吸着量の測定データとして得ることができる。これにより、匂いを測定データのセット（パターン）として評価することができる。【００１２】
（３）匂い測定装置は、前記匂いセンサと前記撮像装置とを内部に備える筐体を更に有し、前記撮像装置の前記レンズ部と、前記導入口と、が前記筐体における同一側の面である所定面に配置されていることが好ましい。【００１３】
撮像装置のレンズ部と、導入口と、が筐体における同一側の面である所定面に配置されていることにより、匂い測定装置を移動させることなく、匂いの測定対象から空気中に分散した匂いを匂いセンサで検出可能であると共に、匂いの測定対象を撮像装置によって撮像することができる。また、匂いの測定と撮像とを、同時又は一連の動作で行うことができる。【００１４】
（４）匂い測定装置は、前記筐体における前記所定面とは異なる他の面に、換気口が形成されていることが好ましい。【００１５】
匂い測定装置に、所定面とは異なる他の面に換気口が形成されていることにより、匂いセンサのセンサ面の近傍に位置する空気を換気することができる。これにより、物質吸着膜に吸着していた匂い物質の脱着を促進させることができる。このように、雰囲気中の空気でセンサ面近傍に位置する空気を換気することにより、匂いセンサを初期状態にリセットする、又は、次の測定に備えて雰囲気中の空気の匂いレベルにベースライン（基準）を合わせることができる。【００１６】
（５）匂い測定装置は、前記導入口を開閉可能な開閉装置が配設されていることが好ましい。【００１７】
導入口を開閉可能な開閉装置が配設されていることにより、測定対象の匂いをより際立たせて測定することができる。すなわち、開閉装置を閉じた状態で測定対象の近傍へ匂い測定装置を移動させ、測定準備が整った状態で開閉装置を開いて匂いを測定することで、開閉の前後での匂いの差（匂い物質の組成の差）が大きくなり、より測定対象の匂いの測定データ（匂いデータ）において、測定対象の特徴が際立つことになる。【００１８】
また、開閉装置を閉じた状態で、上述の換気口を用いてセンサ面近傍に位置する空気を換気することにより、導入口からの匂い物質の侵入を防ぐことができ、より良好にベースライン（基準）を合わせることができる。【００１９】
（６）匂い測定装置は、前記導入口から前記センサ面への空気の導入を制御可能なファンを備えることが好ましい。【００２０】
匂い測定装置が、導入口からの空気の導入を制御可能なファンを備えることにより、より積極的に測定対象から分散した匂い物質を匂いセンサのセンサ面へ導入することができる。【００２１】
（７）匂い測定装置は、ＧＰＳ装置、温湿度計、気圧計、及び照度計のうち少なくともいずれか１つの属性データ取得装置を更に備えることが好ましい。【００２２】
匂い測定装置が、撮像装置に加えて、ＧＰＳ装置、温湿度計、気圧計、照度計等の属性データ取得装置を更に備えることにより、匂いデータ及び画像データと共に、相互に関連付けられて記憶装置に記憶される、位置情報、気温・湿度情報、気圧情報、照度情報等の属性データを取得することができる。これにより、匂いデータの属性情報が充実し、より詳細に匂いデータを分類、整理し、管理することができる。【００２３】
（８）匂い測定装置は、前記匂いセンサによって測定された匂いデータ、及び前記撮像装置によって生成された画像データを送信可能な通信装置を更に備えることが好ましい。【００２４】
匂い測定装置が、通信装置を更に備えることにより、匂い測定装置から匂いデータ及び画像データをサーバ等に送信することができる。当然、上述の位置情報、気温・湿度情報、気圧情報、照度情報等の属性データもサーバ等に送信することができる。これにより、匂い測定装置だけでなく、サーバ等においても、匂いデータ、画像データ、その他の属性情報を管理することができる。【００２５】
（９）匂い測定装置から送信された前記匂いデータ及び前記画像データを受信可能な受信手段と、受信した前記匂いデータ及び前記画像データを相互に関連付けて記憶可能な記憶手段と、を備える、匂いデータ管理装置。【００２６】
匂いデータ管理装置は、匂いデータ及び画像データを受信する受信手段と、それらを相互に関連付けて記憶可能な記憶手段を備えることにより、匂い測定装置から送信された匂いデータ及び画像データを受信し、記憶、管理することができる。当然、上述の位置情報、気温・湿度情報、気圧情報、照度情報等の属性データも受信し、記憶、管理することができる。【００２７】
（１０）匂いデータ管理装置は、前記記憶手段に記憶された複数の前記匂いデータから、特定の匂いデータに近似する匂いデータを抽出可能な抽出手段と、前記抽出手段によって抽出された匂いデータに関連付けられた画像データを検索結果として返却する返却手段と、を更に備えることが好ましい。【００２８】
匂いデータ管理装置が、記憶手段に記憶された複数の匂いデータの中から、特定の匂いデータに近似する匂いデータを抽出可能な抽出手段と、抽出された匂いデータに関連付けられた画像データを検索結果として返却する返却手段を備えるため、特定の匂いデータについて検索することで、その特定の匂いデータを与える匂いに近い匂いについての画像データを得ることができる。すなわち、特定の匂いについて検索すれば、その特定の匂いに近い匂いに関する画像データを検索結果として得ることができる。これにより、検索した特定の匂いに近い匂いを測定した際の測定対象の画像データを得ることができる。【００２９】
本発明の更なる目的又はその他の特徴は、以下添付図面を参照して説明される好ましい実施の形態によって明らかにされるであろう。
【発明の効果】
【００３０】
本発明によれば、匂いを測定する際に、空気中に含まれる匂い物質をセンサで検出すると共に、匂いの測定対象等の属性情報をも測定可能な匂い測定装置、及びその測定結果を管理する匂いデータ管理装置を提供することができる。
【図面の簡単な説明】
【００３１】
【図１】実施形態１に係る匂い測定装置１を模式的に示す斜視図である。
【図２】実施形態１に係る匂い測定装置１を模式的に示す平面図である。
【図３】図２におけるＡ−Ａ’断面を模式的に示す断面図である。
【図４】実施形態１における匂いセンサ１０を模式的に示す平面図である。
【図５】図４におけるＢ−Ｂ’断面を模式的に示す断面図である。
【図６】実施形態１に係る匂い測定装置１の内部構成を模式的に示す説明図である。
【図７】各種センサの動作制御について説明するタイミングチャートである。
【図８】実施形態２に係る匂いデータ管理装置６０を模式的に示す部分断面図である。
【図９】実施形態２に係る匂いデータ管理装置６０の記憶装置６２に記憶される匂い管理データベースを模式的に示すデータベース構成図である。
【発明を実施するための形態】
【００３２】
［実施形態１］
以下、実施形態１に係る匂い測定装置１について図面を参照しつつ説明する。図１は、実施形態１に係る匂い測定装置１を模式的に示す斜視図である。図２は、実施形態１に係る匂い測定装置１を模式的に示す平面図である。図３は、図２におけるＡ−Ａ’断面を模式的に示す断面図である。
【００３３】
実施形態１に係る匂い測定装置１は、所定面３１を有する筐体３０を備えている。筐体３０は、内部に匂いセンサ１０と撮像装置２０とを備えている。図１に示すように、筐体３０は、所定面３１及びその反対側の面の面積が大きい、板状形状を有している。ここで、所定面３１とは、筐体３０における同一側の面である。所定面３１は、筐体３０の同一側に位置する面であればよく、凹凸や段差を有していてもよい。また、所定面３１は、必ずしも単一平面である必要はなく、複数の面で形成されていてもよい。図１中、所定面３１は単一平面であり、図１の斜視図において上側を向き、図２の平面図では紙面の手前側を向いている。
【００３４】
匂い測定装置１は、その内部に、演算処理装置５１（ＣＰＵ）と、記憶装置５２（メモリ）と、を備えている。演算処理装置５１には、上述の匂いセンサ１０及び撮像装置２０が接続され、また、後述する各種センサにもそれぞれ接続されている。演算処理装置５１は、匂いセンサ１０、撮像装置２０、その他の各種センサを制御することができる。なお、図中、演算処理装置５１と、各種の装置やセンサとの間を接続する配線は、図示を省略している。
【００３５】
匂い測定装置１は、筐体３０として、スマートフォンやタブレット端末等の携帯情報端末の筐体３０を共有するものであってもよい。すなわち、スマートフォンやタブレット端末等の携帯情報端末に、匂い測定装置１が内蔵されたものとすることができる。その場合、所定面３１は、スマートフォンやタブレット端末の表示部が配設される面とは反対側の面とすることができる。なお、演算処理装置５１、記憶装置５２、撮像装置２０、ＧＰＳ装置４１等、元来携帯情報端末が備えている装置やセンサ等については、携帯情報端末と匂い測定装置１とで共用することができる。
【００３６】
所定面３１には、匂いセンサ１０のセンサ面１９に空気を導くための導入口３３が形成されている。導入口３３には、その辺縁部を周囲するように、筐体３０の外側に突出したガイド部３４が設けられている。匂いセンサ１０は、筐体３０の内部に配設されており、図１中、点線で示している。匂いセンサ１０の具体的な構成については、後述する。
【００３７】
所定面３１には、撮像装置２０のレンズ部２１が配設されている。撮像装置２０は、図１中、点線で示している。撮像装置２０の具体的な構成については、後述する。
【００３８】
導入口３３を介して空気が導入される方向（導入方向）と、撮像装置２０の撮像方向と、は実質的に同一方向である。空気の導入方向と撮像方向とが実質的に同一方向とは、空気の導入方向が、撮像方向と実質的に同一方向となるように、導入口３３が形成されていることを意味する。また、空気の導入方向と撮像方向とが実質的に同一方向とは、レンズ部２１を通って撮像装置２０へ到達する光のレンズ部２１への入射方向が空気の導入方向と実質的に同一方向であることを意味する。なお、撮像装置２０へ到達する光のレンズ部２１への入射方向は、撮像範囲内において一定の角度範囲を有しており、撮像方向はこの入射方向の角度範囲を含むものとする。そのため、空気の導入方向と撮像方向とは必ずしも厳密に同一方向でない場合も含まれ得ることから、実質的に同一方向と表現する。
【００３９】
図２及び図３に示すように、筐体３０には、導入口３３を開閉可能な開閉装置としてのシャッター３５が配設されている。なお、図１では、シャッター３５は図示を省略している。シャッター３５は対向するように配置された２つの平板を有しており、両平板がスライド移動しつつ接近し合い、接触することで、導入口３３を封鎖するよう構成されている。シャッター３５としては、導入口３３を封鎖し得る大きさを有する１枚の平板がスライド移動するもので構成されるものであってもよい。シャッター３５の構成はこれらに限定されず、公知の構成を適宜採用することができる。
【００４０】
筐体３０には、所定面３１とは異なる他の面に、匂いセンサ１０のセンサ面１９近傍における空気を換気するための換気口３７が形成されている。図１の斜視図中、左右の面のそれぞれに１つずつ換気口３７が形成されている。
【００４１】
匂い測定装置１は、図３に示すように、筐体３０の内部に、導入口３３から匂いセンサ１０のセンサ面１９への空気の導入を制御可能なファンを備えている。このファンを回転させることにより、導入口３３から測定対象の匂い物質を含む空気を、匂いセンサ１０のセンサ面１９へより強制的に導入することができる。なお、ファンを逆回転させれば、センサ面１９近傍に位置する空気を導入口３３又は換気口３７から、流出させることもできる。
【００４２】
匂い測定装置１には、筐体３０の内部に、ＧＰＳ装置４１、温湿度計４２、気圧計４５、照度計４７、通信装置４９が配設されている。匂い測定装置１には、これらの装置以外にも、各種の装置が配設されていてもよい。
【００４３】
ＧＰＳ装置４１は、全地球測位システム（ＧＰＳ）を利用して、匂い測定装置１の位置を特定する装置であり、匂い測定の際の匂い測定装置１の緯度データ及び経度データを出力することができる。ＧＰＳ装置４１は、ＧＰＳ衛星からの電波を受信することができる限り、匂い測定装置１の筐体３０の表面において外部に露出していなくてもよい。
【００４４】
温湿度計４２は、匂い測定の際の、匂い測定装置１近傍の空気の気温及び湿度を計測する装置であり、その気温データ及び湿度データを出力することができる。温湿度計４２は、少なくともその計測部が匂い測定装置１の筐体３０の表面において外部に露出していることが好ましい。温湿度計４２で匂い測定の際の気温及び湿度を計測し、記憶装置５２に匂いデータと関連付けて記憶させておくことにより、匂いデータをより有用なものとすることができる。例えば、気温や湿度の影響によって、匂い物質の物質吸着膜１３への吸着特性が変化してしまう場合、匂い測定の際の気温及び湿度の状況を把握することで、より適切に匂いデータを評価することができる。
【００４５】
気圧計４５は、匂い測定の際の、匂い測定装置１近傍の気圧を計測する装置であり、その気圧データを出力することができる。気圧計４５で匂い測定の際の気圧を計測し、記憶装置５２に匂いデータと関連付けて記憶させておくことにより、匂いデータをより有用なものとすることができる。例えば、気圧の影響によって、匂い物質の物質吸着膜１３への吸着特性が変化してしまう場合、匂い測定の際の気圧の状況を把握することで、より適切に匂いデータを評価することができる。
【００４６】
照度計４７は、匂い測定の際の、匂い測定装置１近傍の照度（光量）を計測する装置であり、その照度（光量）データを出力することができる。照度計４７は、少なくともその計測部が匂い測定装置１の筐体３０の表面において外部に露出していることが好ましい。特に、照度計４７の計測部は、所定面３１において外部に露出していることが好ましい。照度計４７で匂い測定の際の照度（光量）を計測し、記憶装置５２に画像データと関連付けて記憶させておくことにより、画像データをより有用なものとすることができる。照度（光量）の状況を把握することによって、画像データを補正し、より撮像対象物を認識し易くすることができる。
【００４７】
通信装置４９は、匂い測定装置１が備える各種センサや装置で生成された各種データを送信可能な装置である。例えば、各種データをサーバ端末へ送信し、これらの各種データをサーバ端末の記憶装置５２に記憶、管理させておくことができる。
【００４８】
各種データとしては、匂いセンサ１０が生成する匂いデータ、ＧＰＳ装置４１が生成する緯度データ及び経度データ、温湿度計４２が生成する気温データ及び湿度データ、気圧計４５が生成する気圧データ、照度計４７が生成する照度（光量）データ等が挙げられる。各種データとして、匂いが測定された日時を記録した日時データが含まれていてもよい。日時データは、匂い測定装置１に搭載された日時記録装置等、日時を記録可能な任意の手段によって生成することができる。
【００４９】
＜匂いセンサ１０＞
図４は、実施形態１における匂いセンサ１０を模式的に示す平面図である。図５は、図４におけるＢ−Ｂ’断面を模式的に示す断面図である。匂いセンサ１０は、複数のセンサ素子１１を備える。センサ素子１１は、それぞれ、匂い物質を吸着する物質吸着膜１３と、この物質吸着膜１３への匂い物質の吸着状態を検出する検出器１５と、を有する。
【００５０】
図５に示すように、センサ素子１１は、検出器１５と、検出器１５の表面上に設けられた物質吸着膜１３と、で構成されている。物質吸着膜１３は、検出器１５の表面の全体を覆っていることが好ましい。すなわち、検出器１５の大きさは、物質吸着膜１３の形成範囲と同じか、又は物質吸着膜１３の形成範囲よりも小さいことが好ましい。なお、１つの物質吸着膜１３の形成範囲内に複数の検出器１５が設けられていてもよい。
【００５１】
センサ素子１１は、センサ基板１７上に、複数配設されており、図４に示すように３行３列の格子状に整列されている。このとき、隣り合うセンサ素子１１の物質吸着膜１３同士が接触していないか、又は絶縁されている。なお、センサ素子１１は、センサ基板１７上で、必ずしも整列されている必要はなく、ランダムに配設されていたり、３行３列以外の形態に整列されていたりしてもよい。
【００５２】
センサ基板１７上に配設される複数のセンサ素子１１は、それぞれの物質吸着膜１３の性状が互いに異なっている。具体的には、複数のセンサ素子１１のすべてがそれぞれ異なる組成の物質吸着膜１３で構成されており、同一の性状の物質吸着膜１３は存在しないことが好ましい。ここで、物質吸着膜１３の性状とは、匂い物質の物質吸着膜１３への吸着特性ということもできる。すなわち、同じ匂い物質（又はその集合体）であっても、異なる性状を有する物質吸着膜１３には、異なる吸着特性を示すことになる。図４及び図５においては、便宜上、物質吸着膜１３をすべて同様に示しているが、実際にはその性状が互いに異なっている。
【００５３】
物質吸着膜１３の材質としては、π電子共役高分子で形成される薄膜を用いることができる。この薄膜には、ドーパントとして、無機酸、有機酸、又はイオン性液体のうち、少なくとも１種を含有させることができる。ドーパントの種類や含有量を変化させることで、物質吸着膜１３の性状を変化させることができる。
【００５４】
π電子共役高分子としては、特に限定されないが、ポリピロール及びその誘導体、ポリアニリン及びその誘導体、ポリチオフェン及びその誘導体、ポリアセチレン及びその誘導体、ポリアズレン及びその誘導体等の、π電子共役高分子を骨格とする高分子が好ましい。
【００５５】
π電子共役高分子が酸化状態で骨格高分子自体がカチオンとなる場合、ドーパントとしてアニオンを含有させることによって導電性を発現させることができる。なお、本発明では、ドーパントを含有させていない中性のπ電子共役高分子も物質吸着膜１３として採用することができる。
【００５６】
ドーパントの具体例としては、塩素イオン、塩素酸化物イオン、臭素イオン、硫酸イオン、硝酸イオン、ホウ酸イオン等の無機イオン、アルキルスルホン酸、ベンゼンスルホン酸、カルボン酸等の有機酸アニオン、ポリアクリル酸、ポリスチレンスルホン酸等の高分子酸アニオン等を挙げることができる。
【００５７】
また、中性のπ電子共役高分子に、食塩のような塩や、イオン性液体のような陽イオン、陰イオン両方を含むイオン性化合物を共存させることで化学平衡的にドーピングを行う方法も用いることができる。
【００５８】
π電子共役高分子におけるドーパントの含有量は、π電子共役高分子を構成する２つの繰り返し単位あたり１つのドーパント単位（イオン）が入る状態を１とした場合、０．０１〜５の範囲、好ましくは０．１〜２の範囲に調整されればよい。ドーパントの含有量を、この範囲の最低値以上とすることにより、物質吸着膜１３としての特性が消失することを抑制することができる。また、ドーパントの含有量を、この範囲の最大値以下とすることにより、π電子共役高分子自体が持つ吸着特性の効果が低下し、望ましい吸着特性を有する物質吸着膜１３を作成するのが困難になることを抑制することができる。また、通常は低分子量物質であるドーパントが優勢な膜となるために、物質吸着膜１３の耐久性が大幅に低下することを抑制することができる。よって、ドーパントの含有量を上述の範囲とすることにより、匂い物質の検出感度を好適に維持することが可能である。
【００５９】
複数のセンサ素子１１において、それぞれ物質吸着膜１３の吸着特性を変化させるために、異なる種類のπ電子共役高分子を用いることができる。また、同種のπ電子共役高分子を用いて、ドーパントの種類や含有量を変化させることで、異なる吸着特性を発現させてもよい。例えば、π電子共役高分子の種類や、ドーパントの種類、含有量等を変化させることにより、物質吸着膜１３の疎水・親水性能を変化させることができる。
【００６０】
物質吸着膜１３の厚さは、吸着対象となる匂い物質の特性に応じて適宜選択することが可能である。例えば、物質吸着膜１３の厚さは１０ｎｍ〜１０μｍの範囲とすることができ、５０ｎｍ〜８００ｎｍとすることが好ましい。物質吸着膜１３の厚さが１０ｎｍ未満となると、十分な感度が得られない場合がある。また、物質吸着膜１３の厚さが１０μｍを越えると、検出器１５が検出できる重量の上限を超えてしまう場合がある。
【００６１】
検出器１５は、物質吸着膜１３の表面に吸着した匂い物質による、物質吸着膜１３の物理、化学、又は電気的特性の変化を測定し、その測定データを例えば電気信号として出力する信号変換部（トランスデューサ）としての機能を有する。すなわち、検出器１５は、匂い物質の物質吸着膜１３の表面への吸着状態を検出する。検出器１５が測定データとして出力する信号としては、電気信号、発光、電気抵抗の変化、振動周波数の変化等の物理情報が挙げられる。
【００６２】
検出器１５としては、物質吸着膜１３の物理、化学、又は電気的特性の変化を測定するセンサであれば特に制限されず、種々のセンサを適宜用いることができる。検出器１５として、具体的には、水晶振動子センサ（ＱＣＭ）、表面弾性波センサ、電界効果トランジスタ（ＦＥＴ）センサ、電荷結合素子センサ、ＭＯＳ電界効果トランジスタセンサ、金属酸化物半導体センサ、有機導電性ポリマーセンサ、電気化学的センサ等を挙げることができる。
【００６３】
なお、検出器１５として水晶振動子センサを用いる場合には、図示しないが、励振電極として、水晶振動子の両面に電極を設けてもよいし、高いＱ値を検出するべく片面に分離電極を設けてもよい。また、励振電極は、水晶振動子のセンサ基板１７側に、センサ基板１７を挟んで設けられていてもよい。励振電極は、任意の導電性材料で形成することができる。励振電極の材料として、具体的には、金、銀、白金、クロム、チタン、アルミニウム、ニッケル、ニッケル系合金、シリコン、カーボン、カーボンナノチューブ等の無機材料、ポリピロール、ポリアニリン等の導電性高分子等の有機材料を挙げることができる。
【００６４】
検出器１５の形状は、図５に示すように、平板形状とすることができる。平板形状の平板面の形状は、図５に示すように、四角形や正方形とすることができるが、円形や楕円形等、種々の形状とすることができる。また、検出器１５の形状は、平板形上に限られず、その厚さが変動していてもよく、凹状部や凸状部が形成されていてもよい。
【００６５】
検出器１５が、上述の水晶振動子センサのように振動子を用いるものである場合、複数のセンサ素子１１における各振動子の共振周波数を変化させることで、同一のセンサ基板１７上に共存する他の振動子から受ける影響（クロストーク）を低減することが可能である。同一のセンサ基板１７上の各振動子が、ある振動数に対して異なる感度を示すよう、共振周波数を任意に設計することが可能である。共振周波数は、例えば、振動子や物質吸着膜１３の厚さを調節することで変化させることができる。
【００６６】
センサ基板１７としては、シリコン基板、水晶結晶からなる基板、プリント配線基板、セラミック基板、樹脂基板等を用いることができる。また、基板は、インターポーザ基板等の多層配線基板であり、水晶基板を振動させるための励振電極と実装配線、通電するための電極が任意の位置に配置されている。
【００６７】
上述のような構成とすることにより、匂い物質の吸着特性がそれぞれ異なる物質吸着膜１３を有するセンサ素子１１を複数有する匂いセンサ１０を得ることができる。これにより、ある匂い物質又はその組成を含む空気の匂いを匂いセンサ１０で測定した場合、各センサ素子１１の物質吸着膜１３には、同様に匂い物質又はその組成が接触することになるが、各物質吸着膜１３には、匂い物質がそれぞれ異なる態様で吸着される。すなわち、各物質吸着膜１３において、匂い物質の吸着量が異なる。そのため、各センサ素子１１において検出器１５の検出結果が異なることになる。したがって、ある匂い物質又はその組成に対して、匂いセンサ１０が備えるセンサ素子１１（物質吸着膜１３）の数だけ、検出器１５による測定データが生成される。
【００６８】
ある匂い物質又はその組成について測定することにより匂いセンサ１０が生成する測定データのセット（以下、匂いデータという）は、通常、特定の匂い物質や匂い物質の組成に対して特異的（ユニーク）である。そのため、匂いセンサ１０によって匂いデータを測定することにより、匂いを、匂い物質単独で、又は匂い物質の組成（混合物）として識別することが可能である。
【００６９】
次に、匂いセンサ１０を用いて匂いデータを取得する匂いデータ取得手段の構成について説明する。図６は、実施形態１に係る匂い測定装置１の内部構成を模式的に示す説明図である。匂い取得手段Ｍ１は、プログラムとして記憶装置５２に記憶され、そのプログラムを演算処理装置５１に実行させることにより、匂いセンサ１０を匂い取得手段Ｍ１として機能させることができる。なお、匂いデータの取得は、演算処理装置５１によらずとも、その他の構成によって実行されてもよい。
【００７０】
演算処理装置５１は、匂いセンサ１０の各検出器１５に接続されており、匂い物質が各物質吸着膜１３へ吸着した場合に各検出器１５が測定した測定データを取得する。このとき、各測定データは、各検出器１５の匂いセンサ１０上での位置、すなわち検出器１５の配列情報と関連付けられて、記憶装置５２に記憶される。言い換えると、各測定データは、匂いセンサ１０における各検出器１５が同様の構成の場合、匂いセンサ１０の各物質吸着膜１３と１対１に関連付けられて記憶される。具体的には、図６に示すように、各検出器ｉ〜ｉｘについて、それぞれ測定データが計測される。そして、各測定データは、例えば、図６に示すレーダーチャートのように表現することができる。図６のレーダーチャートにおいて、各測定データは、各検出器１５に対応する９つの頂点を有する九角形の中心から９つの頂点へ向けて延びる軸上に点としてプロットされ、隣接する点が直線で結ばれている。このように、匂いデータとは、匂いセンサ１０における各検出器１５が同様の構成の場合、ある匂い物質（又はその組成）の物質吸着膜１３に対する吸着特性を測定した測定データのセットということができる。
【００７１】
匂いセンサ１０は、図１〜図３に示すように、匂い測定装置１の内部に装着・脱着可能なカード状の匂いセンサチップであってもよい。例えば、匂いセンサ１０のセンサ基板１７がカード状の基材に、少なくとも物質吸着膜１３が基材の外部に露出するよう埋め込まれたものであってもよい。すなわち、図１の斜視図において、匂いセンサ１０装置の紙面の奥を向く面に穴が形成されており、その穴に匂いセンサチップを挿入することができる。匂いセンサチップは、挿入された状態で、センサ基板１７及びセンサ面１９が、導入口３３から導入される空気が当たる位置に配置されていることが好ましい。このような匂いセンサチップとすることにより、匂いセンサ１０を交換することができる。例えば、異なる物質吸着膜１３を有する匂いセンサ１０や、同種の物質吸着膜１３を有するがその配列が異なる匂いセンサ１０へと交換することができる。
【００７２】
＜撮像装置２０＞
撮像装置２０は、撮像対象から発せられた又は反射された、レンズ部２１を通って入射してくる光に基づいて、画像データを生成する装置である。撮像装置２０としては、画像データを生成可能なものである限り特に制限されず、各種カメラを採用することができる。図１〜図３に示すように、撮像装置２０の本体は、匂い測定装置１の筐体３０の内部に配設されており、レンズ部２１が筐体３０の表面において外部に露出している。
【００７３】
レンズ部２１は、撮像装置２０の光学機構の少なくとも一部を構成する部分であり、レンズを含むものである。レンズ部２１には、レンズ以外にも、鏡筒や保護ガラス等が含まれていてもよい。このような撮像対象から発せられた又は反射された光が入射するレンズ部２１が、匂い測定装置１の測定対象（撮像対象）側の面である所定面３１に配置されている。
【００７４】
＜匂い測定装置の制御＞
匂い測定装置１が備える上述の各種センサの動作は、記憶装置６２に記憶された制御プログラムＰ１を演算処理装置６１が実行することによって制御することができる。以下、各種センサの動作の制御について、図７を用いて説明する。図７は、各種センサの動作制御について説明するタイミングチャートである。
【００７５】
ここでは、匂い測定装置１として、スマートフォンやタブレット端末等の携帯情報端末に匂い測定装置１が内蔵されたものである場合について説明する。制御プログラムＰ１は、携帯情報端末において演算処理装置６１によって実行されるアプリケーションとして実行されてもよい。各種センサとしては、匂いセンサ１０、撮像装置２０、ＧＰＳ装置４１、温湿度計４２を備えるものとする。各装置やセンサ等の構成については、図１〜図３に示すような実施形態１に係る匂い測定装置１の所定面３１と反対側の面に表示部が配設されていること以外は、概略実施形態１に係る匂い測定装置１と同様の構成とすることができる。
【００７６】
制御プログラムＰ１に基づき実行される制御アプリケーションをユーザが立ち上げ、初期画面において測定開始ボタンを押下して測定を開始すると、表示部に待機画面が表示され、匂いセンサ１０、ＧＰＳ装置４１、及び温湿度計４２が起動する。そして、匂いセンサ１０によるベースライン測定、ＧＰＳ装置４１による現在位置測定、温湿度計４２による気温及び湿度の測定が実行される。ベースライン測定等が完了すると、表示部に測定ボタンが表示される。ユーザが測定開始ボタンを押下すると、撮像装置２０が撮像すると共に、シャッター３５が開かれて導入口３３から空気が導入され、匂いセンサ１０による匂い測定が実行される。一定時間経過後、シャッター３５が閉じられて匂い測定が終了すると共に、ＧＰＳ装置４１に現在位置測定が終了する。その後、表示部に待機画面が表示され、一定時間匂いセンサ１０をリフレッシュさせる。一定時間経過後、リフレッシュ、温湿度計４２による気温及び湿度の測定が終了し、表示部に初期画面が表示される。
【００７７】
上述の制御において、空気の導入の際にファンが回転し、外部の空気をセンサ面１９へ向けて導入させてもよい。また、匂いセンサ１０のベースライン測定及びリフレッシュの際には、そのファンを逆回転させて、換気口３７から導入された空気でセンサ面１９近傍の空気を置換してもよい。なお、ファンを逆回転させる場合、シャッター３５は開いたままであることが好ましい。
【００７８】
［実施形態２］
＜匂いデータ管理装置６０＞
実施形態２として、上述の実施形態１に係る匂い測定装置１の各種センサによって測定された測定データを受領し、記憶、管理する匂いデータ管理装置６０について図面を参照しつつ説明する。
【００７９】
図８は、実施形態２に係る匂いデータ管理装置６０を模式的に示す部分断面図である。匂いデータ管理装置６０は、内部に演算処理装置６１（ＣＰＵ）、記憶装置６２（メモリ）を有している。記憶装置６２内には、匂いデータ管理プログラムＰ２及び匂いデータ管理データベースＤが格納されている。匂いデータ管理プログラムＰ２は、匂いデータ管理装置６０を、受信手段、記憶手段、抽出手段Ｍ３、返却手段Ｍ５として機能させる。
【００８０】
受信手段は、上述の実施形態１に係る匂い測定装置１から送信された匂いデータや、画像データ等の各種データを受信する機能を有する。各種データとしては、具体的には、匂いセンサ１０が生成した匂いデータ、撮像装置２０が生成した画像データ、ＧＰＳ装置４１が生成した緯度及び経度のデータ、温湿度計４２が生成した気温及び湿度のデータ、気圧計４５が生成した気圧データ、照度計４７が生成した照度（光量）データ、日時データ等が挙げられる。なお、受信手段は、匂い測定装置１から送信された各種データに限らず、匂い測定装置１で生成された各種データを記憶させたＵＳＢ（Ｕｎｉｖｅｒｓａｌ  Ｓｅｒｉａｌ  Ｂｕｓ）メモリ等各種の記憶メディアを介して、匂いデータ管理装置６０に複製された各種データを受け付けるものであってもよい。
【００８１】
記憶手段は、受信手段によって受信された各種データを、相互に関連付けて、匂いデータ管理データベースＤに記憶する機能を有する。匂いデータ管理データベースＤは、匂いデータ管理装置６０の記憶装置６２に格納されている。
【００８２】
図９は、実施形態２に係る匂いデータ管理装置６０の記憶装置６２に記憶される匂い管理データベースを模式的に示すデータベース構成図である。匂いデータ管理データベースＤには、少なくとも匂いデータと、画像データと、が相互に関連付けられて記憶されている。匂いデータ及び画像データに加えて、緯度及び経度のデータ、気温及び湿度のデータ、気圧データ、照度（光量）データ、日時データ等も、相互に関連付けられて記憶されていてもよい。
【００８３】
図９では、匂いデータと、画像データと、日時データと、経度及び緯度のデータと、が相互に関連付けられて記憶されている。具体的には、図９においては、匂いデータＡの各センサ素子１１により測定された９個の測定データＡｉ〜Ａｉｘと、属性データとしての日時データＡ１と、画像データＡ２と、経度データＡ３と、緯度データＡ４とが相互に関連付けられて記憶されている。同様に匂いデータＢ、匂いデータＣも、測定データと、属性データと、が関連付けられて匂いデータ管理データベースＤに記憶されている。
【００８４】
抽出手段Ｍ３は、記憶手段によって匂いデータ管理データベースＤに記憶された複数の匂いデータの中から、特定の匂いデータに近似する匂いデータを抽出する機能を有する。すなわち、ある匂いの匂いデータ（特定の匂いデータ）を有していれば、それに近似する匂いデータを匂いデータ管理データベースＤから抽出することができる。
【００８５】
２つの匂いデータが近似するとは、匂いデータを構成する測定データを、２つの匂いデータの対応する測定データの間で比較し、比較した２つの測定データの値の差が所定範囲内である場合をいう。ここで、２つの匂いデータの対応する測定データとは、匂いデータを構成する、各センサ素子１１による測定データのうち、同種のセンサ素子１１による測定データをいう。すなわち、２つの匂いデータが近似するか否かを判断する際、同種の物質吸着膜１３及び検出器１５を有するセンサ素子１１によって測定された２つの測定データ同士を比較することが好ましい。なお、比較する２つの測定データは、同一の物質吸着膜１３及び検出器１５を有するセンサ素子１１によって測定されたものでなくても、互いに近い組成の物質吸着膜１３と、同様の構成を有する検出器１５を有するセンサ素子１１によって測定されたものを用いることができる。また、測定データの値の差が所定範囲内という場合の、所定範囲は、各検出器１５における測定データについて任意に設定することができる。
【００８６】
例えば、匂いデータＡと匂いデータＢとを比較する場合、同一の検出器ｉで測定された測定データＡｉと測定データＢｉについて比較することができる。同様に測定データＡｉｉ〜Ａｉｘと、測定データＢｉｉ〜Ｂｉｘについて、それぞれ比較することができる。そして、各センサ素子１１における測定データにおいて、測定データの差が所定範囲内であった場合、匂いデータＡと匂いデータＢとは近似していると判断することができる。匂いデータＡと匂いデータＣとを比較する場合、同一の検出器ｉで測定された測定データＡｉと測定データＣｉについて比較することができる。同様に測定データＡｉｉ〜ｉｘと、測定データＣｉｉ〜Ｃｉｘについて、それぞれ比較することができる。そして、各センサ素子１１における測定データにおいて、１つでも測定データの差が所定範囲外であった場合、匂いデータＡと匂いデータＣとは近似していないと判断することができる。
【００８７】
返却手段Ｍ５は、抽出手段Ｍ３によって抽出された匂いデータに関連付けられた、匂いデータ以外の各種データ（以下、属性データという）を検索結果として返却する機能を有する。属性データとしては、具体的には、画像データ、緯度及び経度のデータ、気温及び湿度のデータ、気圧データ、照度（光量）データ、日時データ等を挙げることができる。
【００８８】
このような抽出手段Ｍ３及び返却手段Ｍ５によって、ある匂いの匂いデータ（特定の匂いデータ）を有していれば、匂いデータ管理データベースＤから、それに近似する匂いデータに関連付けられた属性データが検索結果として得られることになる。具体的には、ユーザが、好みの匂いについて、その匂いデータを取得し、取得した匂いデータを匂いデータ管理装置６０を用いて検索をかけた場合、検索結果として、ユーザの好みの匂いに近似した匂いデータの属性データが得られることになる。例えば、ユーザが好みの香水の匂いデータを取得し、検索をかけた場合、その検索結果として、他のユーザが匂い測定装置１で取得した属性データを検索結果として得られる。そのような属性データとしては、ユーザが好みの香水に似た匂いを、他のユーザが匂い測定装置１で測定した際に取得した、測定対象の画像データや、測定場所の緯度及び経度のデータ等の属性データを得ることができる。その場合の画像データとしては、例えば、香水の瓶やパッケージ、又はその香水を販売している販売店の写真等が挙げられる。したがって、ユーザが興味を持った匂いについて、その匂いデータについて検索をかけることによって、匂いデータ管理データベースＤに記憶された情報の中から、ユーザが興味を持った匂いに似た匂いの情報を得ることができる。
【００８９】
［実施形態３］
実施形態３として、実施形態１に係る匂い測定装置１を搭載したロボットについて説明する。以下の説明において、上述の実施形態における説明と同様である内容については、その説明を省略する。
【００９０】
ロボットは、所定面３１に、導入口３３と撮像装置２０とを有し、導入口３３から導入された空気の匂いを匂いセンサ１０を用いて測定する。このような構成により、ロボットは、測定対象の匂いデータと画像データとを取得することができる。
【００９１】
ロボットは、測定した匂いデータと画像データとを関連付けて、記憶装置６２に記憶することができる。記憶装置は、ロボットに搭載されたものであっても、ロボットと通信可能に接続された遠隔のサーバに搭載されたものであってもよい。これにより、測定した測定対象の匂いデータ及び画像データが、既に記憶装置に記憶されたものであるか否かを判断することができる。そして、同一又は近似する匂いデータ及び画像データが記憶装置に記憶されていた場合、その測定対象を既に測定されたものと判断することができる。すなわち、ロボットは、既に記憶装置に記憶された測定対象である場合、その測定対象を識別することができる。ロボットは、画像データだけでなく、画像データに匂いデータを組み合わせて、測定対象を識別することができる。
【００９２】
例えば、測定対象がロボットの使用者（人間）である場合、その使用者について測定した画像データと匂いデータにより、使用者とその他の人間を識別することができる。使用者の顔がロボットの撮像装置２０で撮像できなかった場合であっても、匂いデータと組み合わせることにより、使用者の識別精度を向上させることができる。
【００９３】
一例として、ペット型のロボットにおいて、その顔部分に導入口３３と撮像装置２０を搭載させた場合、ペット型ロボットは、使用者の画像データ及び匂いデータにより使用者を識別することができる。ペット型ロボットは、使用者が移動すれば、その後を着いていくよう動作させることが可能である。
【符号の説明】
【００９４】
１：匂い測定装置                      １０：匂いセンサ  
１１：センサ素子                      １３：物質吸着膜
１５：検出器                          １７：センサ基板
１９：センサ面                        ２０：撮像装置
２１：レンズ部                        ３０：筐体
３１：所定面                          ３３：導入口
３４：ガイド部                        ３５：シャッター
３７：換気口                          ４１：ＧＰＳ装置
４３：温湿度計                        ４４：計測部
４５：気圧計                          ４７：照度計
４８：計測部                          ４９：通信装置
５１：演算処理装置                    ５２：記憶装置
６０：匂いデータ管理装置              ６１：演算処理装置
６２：記憶装置                        Ｄ：匂いデータ管理データベース
Ｍ１：匂い取得手段                    Ｍ２：受信手段
Ｍ３：記憶手段                        Ｍ４：抽出手段
Ｍ５：返却手段                        Ｐ１：制御プログラム
Ｐ２：匂いデータ管理プログラム  
【図１】
2018061092.tif 000003
【図２】
2018061092.tif 000004
【図３】
2018061092.tif 000005
【図４】
2018061092.tif 000006
【図５】
2018061092.tif 000007
【図６】
2018061092.tif 000008
【図７】
2018061092.tif 000009
【図８】
2018061092.tif 000010
【図９】
2018061092.tif 000011
【国際調査報告】
2018061092.tif 000012
2018061092.tif 000013
2018061092.tif 000014
2018061092.tif 000015